(57)【要約】  【課題】  囲いの上からの、人や猫の侵入を確実に防止する。【解決手段】  一般家屋において、敷地の周囲に構築された囲いの上端面に取付けられる人および猫の侵入防止具であり、専門業者に依頼する事なく住人が簡単に取付け可能としたものである。囲いの上部側面に固定する支持金具と、支持金具に固定され囲いの上端面に取付けられる人、猫侵入防止金具からなり、人、猫侵入防止金具の両端と上面には複数のナットが設けられている。この人、猫侵入防止金具を２〜３ｍ間隔で囲いに取付け、ナットには金属棒を取付ける。この金属棒に有刺鉄線や鳥獣ガードネットなどを張る事で、人や猫などの侵入を防止するものである。この人、猫侵入防止金具は伸縮するので囲いの厚薄や、変則な形の囲いにも取付けが可能である。【選択図】  図１
0003102956.tif 000002
【実用新案登録請求の範囲】
【請求項１】
一般家屋の敷地の周囲に構築された囲いの上端面に取付ける、人および猫の侵入防止具であって、囲いの上部側面にネジで固定する支持金具と、支持金具の上部に固定され囲いの上端面に設置される人、猫侵入防止金具からなり、人、猫侵入防止金具には両端と上面には複数のナットが猫の頭が入らない間隔で設けられており、この人、猫侵入防止金具は囲いの上端面に２〜３ｍの間隔で設置され、ナットに取付ける金属棒には有刺鉄線や鳥獣ガードネットなどを張る事で、人や猫の侵入を防止する人、猫侵入防止金具。
【請求項２】
請求項１の人、猫侵入防止金具は、伸縮する金具を内蔵しており、この伸縮金具にも複数のナットが設けられており、囲いの厚薄に合わせて伸縮させても同じ様に金属棒を取付ける事ができる人、猫侵入防止金具。
【請求項３】
人、猫侵入防止金具のナットに取付ける金属棒には、有刺鉄線や鳥獣ガードネットなどを取付けた位置が動かないように溝やフックなどが設けてあり、長さも必要に応じて変える事ができる人、猫侵入防止金具。
【考案の詳細な説明】
【技術分野】
【０００１】
本考案は一般家屋において、人および猫の侵入を防止すべき区域の周囲に構築された囲いの上端面に取付ける人、猫侵入防止具に関する。
【背景技術】
【０００２】
従来、一般家屋の囲いの上端に設置する人および猫の侵入防止具は、囲いの上端面に有刺鉄線や揺動するプレートが取付けられていた。また、薬剤を散布する方法もある。
【０００３】
その他、発明や考案で見られるものでは、囲いの上端に柵を設置するものが考案されている。（例えば、実用新案登録公報第３０６１２２４号）また、囲いの上端に装置を設置するものも考えられている。
【考案の開示】
【考案が解決しようとする課題】
【０００４】
一般家屋で、敷地の周囲に構築された囲いの上端から人や猫の侵入を防止する為に有刺鉄線を取付ける場合は、囲いに鋼棒を立て有刺鉄線を張るか、囲いの上端面に有刺鉄線を這わせて置くやり方がある。しかし、囲いがブロックや石塀では上面に有刺鉄線を張るための鋼棒を立てる事は、住人が簡単に設置する事は難しいので専門業者に依頼しなければならない。また、囲いの上端面に有刺鉄線を這わせても人の侵入は防止できず、猫に対しては刺間に猫の足が入るし刺の長さも猫の足の長さよりも短いので、容易に歩行や侵入が可能である。揺動するプレートも有るが、猫が馴れてしまえば効果はない。薬剤の散布は臭いが強いので住人にも影響するし、風雨に流されてしまうので短期間での散布が必要である。
【０００５】
囲いの上端面に、柵や装置を設置する発明や考案もあるが、設置するには専門業者を頼むか、囲いの長さや厚薄、変則な形に合わせて作製しなければならず、金額も高額になるので住人が手軽に設置できるものではない。また、取付けには囲いへの損傷が避けられず、取外しも厄介なものがある。
【課題を解決するための手段】
【０００６】
この考案の人、猫侵入防止金具は、一般家屋において人、猫の侵入を防止すべき区域の周囲に構築された囲いの上端面に取付ける人、猫侵入防止具であり、専門業者に依頼することなく、住人が簡単に取付けできる事を特徴とする。
【０００７】
この人、猫侵入防止金具は、囲いの上部側面に固定する為の支持金具と、その上部に固定されている人、猫侵入防止金具からなり、金具の両端と上面には複数のナットが設けられている。この人、猫侵入防止金具を２〜3メートル間隔で囲いの上端面に取付け、ナットには必要な数の金属棒を取付ける。なお、ナットとナットの間隔は猫の頭や手足が入らない３ｃｍ程度に設けてある。
【０００８】
この人、猫侵入防止金具のナットに取付ける金属棒には、有刺鉄線や鳥獣ガードネットなどを張り、人や猫が囲いの内部へ侵入するのを防止する。
【０００９】
人、猫侵入防止金具は、長さを伸ばす事ができる伸縮金具を内蔵しており、この伸縮する金具にも複数のナットが設けられているので、囲いの厚薄に合わせて取付けても同じ様に金属棒の取付けが可能である。また、金具は２〜3メートル間隔で取付けていくので、どんなに変形な囲いでもそれに合わせて設置が可能である。
【００１０】
金属棒には、取付ける有刺鉄線や動物ガードネットなどが緊縛された位置が動かないように溝やフックなどが設けられている。また、囲いの高低や侵入を防止したい対象によっては金属棒の長さを変えればよい。金属棒は長短の他に全ネジタイプは長さも数種類市販されているので、住人がいつでも入手可能である。
【考案の効果】
【００１１】
上記のように人、猫侵入防止金具は、囲いの厚薄や変形な囲いでも取付けが可能なので、専門業者に依頼する事なく住人が簡単に、しかも低価格で設置できる事を特徴とするものである。
【００１２】
人、猫侵入防止金具に取付ける金属棒には有刺鉄線や鳥獣ガードネットだけでなく、防風ネットや目隠し用のネットなど用途によって取付けるものを住人が選択できるので、より広範囲な目的に使用できる。
【００１３】
人、猫侵入防止金具に取付ける金属棒は長短の他に、全ネジタイプは市販されているので長さも自由にできる。その為今までは出来なかった、土留め程度しかない高さの囲いでも設置が可能である。
【実施例】
【００１４】
以下、この考案の実施の形態を、図面を参照して説明する。図１および図２はこの考案の実施形態を示す。
【００１５】
図１はこの考案による人、猫侵入防止金具を囲いの上端面に取付けた斜視図であり、猫の侵入に備えて囲いの外側に鳥獣ガードネットを張り、上面と内側はワイヤーを張ってある。もし、鳥獣ガードネットを越えても上面に３ｃｍ位の間隔で張ってあるワイヤーで猫が身動きできない。上端面に張るものはワイヤーやテグスでもカラス、鳩などの鳥類に効果があり威圧感を与えない。
【００１６】
図２の斜視図は囲いの外側に有刺鉄線を張った状態で、上面と内側にも有刺鉄線とワイヤーが張られている。これで、囲いを越えて入る人の侵入は困難になる。
【００１７】
図３は人、猫侵入防止金具であり、ナットの一部に金属棒を取付けた図である。囲いの厚薄に合わせて伸縮金具を挿し込んで、（記号Ａ）のネジを締めれば伸縮金具が固定され、支持金具にある（記号Ｂ）のネジを締めれば囲いに固定される。
【００１８】
図４は、前記述の通りに人、猫侵入防止金具をブロック塀に取付け、金属棒を取付けた図である。（記号Ｂ）のある支持金具−２を内側になるように取付け、（記号Ｂ）のネジを締めればブロックに固定される。
【００１９】
図７は付属部品として金属棒を長いものと短いものを揃え、金属棒には全ネジタイプとフックが付いたタイプがある。このネジの溝やフックに、ネットなどを緊縛し固定できるので、猫が踏んだ時や風雨などでも動かない。囲いが低ければ、猫が跳び越えできない長い金属棒に取替えればよく、金属棒に取付けるものも有刺鉄線や鳥獣ガードネットの他、日除け、防風ネットや目隠しなど対象によって住人が選択すればよい。
【００２０】
この人、猫侵入防止金具は図１、図２のように２〜3メートル位の間隔で囲いの上端面に取付ければ、金属棒に取付ける有刺鉄線や動物ガードネットも緩む事なく張る事ができる。これなら囲いが幾ら長くても長さに合わせた数を取付ければよく、変形な囲いでも住人が簡単に取付けが可能である。
【００２１】
人、猫侵入防止金具を囲いに取付ける時の（記号Ａ）や（記号Ｂ）のナットは家側に付いているので、外部から人、猫侵入防止金具を外す事は難しい。
【図面の簡単な説明】
【００２２】
【図１】この考案の実施形態の人、猫侵入防止金具を囲いの上端面に取付け鳥獣ガードネットを張った時の斜視図。上面にはワイヤーかテグスが張られている。
【図２】この考案の実施形態の人、猫侵入防止金具を囲いの上端面に取付け有刺鉄線を張った時の斜視図。
【図３】人、猫侵入防止金具と内蔵されている伸縮金具。伸縮金具を挿し込み（記号Ａ）のネジを留めて固定する。
【図４】人、猫侵入防止金具をブロックに取付けた縦断面図。
【図５】人、猫侵入防止金具を家側から見た側面図。
【図６】人、猫侵入防止金具の平面図。
【図７】人、猫侵入防止金具のナットに取付ける金属棒。金属棒には全ネジとフックを備えたものがあり、長さも長短がある。他に市販製品在り。
【符号の説明】
【００２３】
Ａ    人、猫侵入防止金具の伸縮金具を固定するネジ。
Ｂ    支持金具を囲いに固定するネジ。
【図１】
0003102956.tif 000003
【図２】
0003102956.tif 000004
【図３】
0003102956.tif 000005
【図４】
0003102956.tif 000006
【図５】
0003102956.tif 000007
【図６】
0003102956.tif 000008
【図７】
0003102956.tif 000009
【手続補正書】
【提出日】平成16年2月23日(2004.2.23)
【手続補正１】
【補正対象書類名】実用新案登録請求の範囲
【補正対象項目名】全文
【補正方法】変更
【補正の内容】
【実用新案登録請求の範囲】
【請求項１】
家屋の敷地の周囲に構築された囲いの上端面に取付ける、人および猫の侵入防止具であって、囲いの上部側面にネジで固定する支持金具と、支持金具の上部に固定され囲いの上端面に設置される人、猫侵入防止金具からなり、人、猫侵入防止金具には両端と上面には複数のナットが猫の頭が入らない間隔で設けられており、この人、猫侵入防止具は囲いの上端面に２〜３ｍの間隔で設置され、ナットに取付ける金属棒には有刺鉄線や鳥獣ガードネットなどを張る事で、人や猫の侵入を防止する人、猫侵入防止具。
【請求項２】
請求項１の人、猫侵入防止具の人、猫侵入防止金具には、伸縮する金具を内蔵しており、この伸縮金具にも複数のナットが設けられており、囲いの厚薄に合わせて伸縮させても同じ様に金属棒を取付ける事ができる人、猫侵入防止具。
【請求項３】
請求項１又は２に記載された人、猫侵入防止金具のナットに取付ける金属棒には、有刺鉄線や鳥獣ガードネットなどを取付けた位置が動かないように溝やフックなどが設けてあり、長さも必要に応じて変える事ができる人、猫侵入防止具。
【手続補正２】
【補正対象書類名】明細書
【補正対象項目名】全文
【補正方法】変更
【補正の内容】
【考案の詳細な説明】
【技術分野】
【０００１】      本考案は家屋において、人および猫の侵入を防止すべき区域の周囲に構築された囲いの上端面に取付ける人、および猫の侵入防止具に関する。
【背景技術】
【０００２】    従来、家屋の囲いの上端に設置する人および猫の侵入防止具は、囲いの上端面に有刺鉄線や揺動するプレートが取付けられていた。また、薬剤を散布する方法もある。【０００３】    その他、発明や考案で見られるものでは、囲いの上端に柵を設置するものが考案されている。（例えば、実用新案登録広報第３０６１２２４号）。また、囲いの上端に装置を設置するものも考えられている。
【考案の開示】
【考案が解決しようとする課題】
【０００４】    家屋で、敷地の周囲に構築された囲いの上端から人や猫の侵入を防止する為に有刺鉄線を取付ける場合は、囲いに鋼棒を立て有刺鉄線を張るか、囲いの上端面に有刺鉄線を這わせて置くやり方がある。しかし、囲いがブロックや石塀では上面に有刺鉄線を張るための鋼棒を立てる事は、住人が簡単に設置する事は難しいので専門業者に依頼しなければならない。また、囲いの上端面に有刺鉄線を這わせても人の侵入は防止できず、猫に対しては刺間に猫の足が入るし刺の長さも猫の足の長さよりも短いので、容易に歩行や侵入が可能である。揺動するプレートも有るが、猫が馴れてしまえば効果はない。薬剤の散布は臭いが強いので住人にも影響するし、風雨に流されてしまうので短期間での散布が必要である。【０００５】    囲いの上端面に、柵や装置を設置する発明や考案もあるが、設置するには専門業者を頼むか、囲いの長さや厚薄、変則な形に合わせて作製しなければならず、金額も高額になるので住人が手軽に設置できるものではない。また、取付けには囲いへの損傷が避けられず、取外しも厄介なものがある。
【課題を解決するための手段】
【０００６】    この考案の人、猫侵入防止具は、家屋において人、猫の侵入を防止すべき区域の周囲に構築された囲いの上端面に取付ける人および猫の侵入防止具であり、専門業者に依頼することなく、住人が簡単に取付けできる事を特徴とする。【０００７】    この人、猫侵入防止具は、囲いの上部側面に固定する為の支持金具と、その上部に固定されている人、猫侵入防止金具からなり、金具の両端と上面には複数のナットが設けられている。この人、猫侵入防止具を２〜３メートル間隔で囲いの上端面に取付け、ナットには必要な数の金属棒を取付ける。なお、ナットとナットの間隔は猫の頭や手足が入らない３ｃｍ程度に設けてある。【０００８】    この人、猫侵入防止金具のナットに取付ける金属棒には、有刺鉄線や鳥獣ガードネットなどを張り、人や猫が囲いの内部へ侵入するのを防止する。【０００９】    人、猫侵入防止金具は、長さを伸ばす事ができる伸縮金具を内蔵しており、この伸縮する金具にも複数のナットが設けられているので、囲いの厚薄に合わせて取付けても同じ様に金属棒の取付けが可能である。この人、猫侵入防止具は２〜３メートル間隔で取付けていくので、どんなに変形な囲いでもそれに合わせて設置が可能である。【００１０】    金属棒には、取付ける有刺鉄線や動物ガードネットなどが緊縛された位置が動かないように溝やフックなどが設けられている。また、囲いの高低や侵入を防止したい対象によっては金属棒の長さを変えればよい。金属棒は長短の他に全ネジタイプは長さも数種類市販されているので、住人がいつでも入手可能である。
【考案の効果】
【００１１】    上記のように人、猫侵入防止具は、囲いの厚薄や変形な囲いでも取付けが可能なので、専門業者に依頼する事なく住人が簡単に、しかも低価格で設置できる事を特徴とするものである。【００１２】    人、猫侵入防止金具のナットに取付ける金属棒には有刺鉄線や鳥獣ガードネットだけでなく、防風ネットや目隠し用のネットなど用途によって取付けるものを住人が選択できるので、より広範囲な目的に使用できる。【００１３】    人、猫侵入防止金具に取付ける金属棒は長短の他に、全ネジタイプは市販されているので長さも自由にできる。その為今までは出来なかった、土留め程度しかない高さの囲いでも設置が可能である。
【実施例】
【００１４】    以下、この考案の実施の形態を、図面を参照して説明する。図１および図２はこの考案の実施形態を示す。【００１５】    図１はこの考案による人、猫侵入防止具を囲いの上端面に取付けた斜視図であり、猫の侵入に備えて囲いの外側に鳥獣ガードネットを張り、上面と内側はワイヤーを張ってある。もし、鳥獣ガードネットを越えても上面に３ｃｍ位の間隔で張ってあるワイヤーで猫が身動きできない。上端面に張るものはワイヤーやテグスでもカラス、鳩などの鳥類に効果があり威圧感を与えない。【００１６】    図２の斜視図は囲いの外側に有刺鉄線を張った状態で、上面と内側にも有刺鉄線とワイヤーが張られている。これで、囲いを越えて入る人の侵入は困難になる。【００１７】    図３は人、猫侵入防止具であり、人、猫侵入防止金具のナットの一部に金属棒を取付けた図である。囲いの厚薄に合わせて伸縮金具を挿し込んで、（記号Ａ）のネジを締めれば伸縮金具が固定され、支持金具にある（記号Ｂ）のネジを締めればブロックに固定される。【００１８】    図４は、前記述の通りに人、猫侵入防止具をブロック塀に取付け、金属棒を取付けた図である。（記号Ｂ）のある支持金具−２を内側になるように取付け、（記号Ｂ）のネジを締めればブロックに固定される。【００１９】    図７は付属部品として金属棒を長いものと短いものを揃え、金属棒には全ネジタイプとフックが付いたタイプがある。このネジの溝やフックに、ネットなどを緊縛し固定できるので、猫が踏んだ時や風雨などでも動かない。囲いが低ければ、猫が跳び越えできない長い金属棒に取替えればよく、金属棒に取付けるものも有刺鉄線や鳥獣ガードネットの他、日除け、防風ネットや目隠しなど、対象によって住人が選択すればよい。【００２０】    この人、猫侵入防止具は図１、図２のように２〜３メートル位の間隔で囲いの上端面に取付ければ、金属棒に取付ける有刺鉄線や動物ガードネットも緩む事なく張る事ができる。これなら囲いが幾ら長くても長さに合わせた数を取付ければよく、変形な囲いでも住人が簡単に取付けが可能である。【００２１】    人、猫侵入防止具を囲いに取付ける時の（記号Ａ）や（記号Ｂ）のナットは家側に付いているので、外部から人、猫侵入防止具を外す事は難しい。
【図面の簡単な説明】
【００２２】
【図１】この考案の実施形態の人、猫侵入防止具を囲いの上端面に取付け鳥獣ガードネットを張った時の斜視図。上面にはワイヤーかテグスが張られている。
【図２】この考案の実施形態の人、猫侵入防止具を囲いの上端面に取付け、有刺鉄線を張った時の斜視図。
【図３】人、猫侵入防止金具と内蔵されている伸縮金具。伸縮金具を挿し込み（記号Ａ）のナットを留めて固定する。
【図４】人、猫侵入防止具をブロックに取付けた縦断面図。
【図５】人、猫侵入防止具を家側から見た側面図。
【図６】人、猫侵入防止具の平面図。
【図７】人、猫侵入防止金具のナットに取付ける金属棒。金属棒には全ネジとフックを備えたものがあり、長さも長短がある。他に市販製品在り。
【符号の説明】
【００２３】      Ａ  人、猫侵入防止金具の伸縮金具を固定するネジ。
Ｂ  支持金具を囲いに固定するネジ。
【手続補正３】
【補正対象書類名】図面
【補正対象項目名】［図３］
【補正方法】変更
【補正の内容】
【図３】
0003102956.tif 000010